(57)【要約】【課題】  電子透かし検出の確からしさの高低判断ができ、ＩＤを入力して関連情報提供を受けることができ、また、電子透かしを埋め込みあるいはＩＤを近傍に付加した画像の様々な特性や、画像を撮影した情報端末機種の特性が様々にある状況に対し、情報提供者の労力を軽減し、状況に応じて適切な撮影支援情報を画像撮影者に提供可能な電子透かし検出応用方法、そのシステムおよびプログラムを提供する。【解決手段】  画像撮影者が情報端末上のカメラで撮影した電子透かし入り画像から電子透かしを検出するための電子透かし検出手段と、検出された電子透かしもしくは外部より入力された入力情報から取得した関連情報を画像撮影者に提供するための関連情報提供手段と、を有し、検出の確からしさを示す検出評価値を算出するための検出評価値算出手段と、検出評価値を高めるための撮影支援情報を画像撮影者に提供するための撮影支援情報提供手段と、を備える。【選択図】      図１
2006115320.tif 000002
【特許請求の範囲】
【請求項１】
電子透かし検出手段により画像撮影者が情報端末上のカメラで撮影した電子透かし入り画像から電子透かしを検出するステップと、関連情報提供手段により検出された前記電子透かしもしくは外部より入力された入力情報から取得した関連情報を画像撮影者に提供するステップと、を有する電子透かし検出応用方法であって、
検出評価値算出手段により前記検出の確からしさを示す検出評価値を算出するステップと、
撮影支援情報提供手段により前記検出評価値を高めるための撮影支援情報を前記画像撮影者に提供するステップと、
を有することを特徴とする電子透かし検出応用方法。
【請求項２】
前記検出評価値算出手段は、
前記電子透かし検出手段に含まれることを特徴とする請求項１に記載の電子透かし検出応用方法。
【請求項３】
前記撮影支援情報提供手段は、
前記関連情報提供手段に含まれることを特長とする請求項１または２のいずれかに記載の電子透かし検出応用方法。
【請求項４】
前記撮影支援情報提供手段は、
前記検出評価値が所定の閾値未満である検出失敗と判断された場合において、前記検出評価値が前記閾値以上である検出成功となるための撮影支援情報を提供することを特徴とする請求項１〜３のいずれかに記載の電子透かし検出応用方法。
【請求項５】
最大の検出評価値を更新して記憶する最大評価値記憶手段を有し、前記撮影支援情報提供手段は、前記検出評価値が最大となるための撮影支援情報を提供することを特徴とする請求項１〜４のいずれかに記載の電子透かし検出応用方法。
【請求項６】
前記撮影支援情報提供手段は、
算出された検出評価値が最大とならなかった場合に、前記検出評価値が最大となるための撮影支援情報を提供することを特徴とする請求項５に記載の電子透かし検出応用方法。
【請求項７】
前記撮影支援情報提供手段は、
算出された前記検出評価値が最大となった場合に、前記最大評価値記憶手段に記憶されている最大評価値を更新すると共に、提供する前記撮影支援情報を最大となったものに対応して更新することを特徴とする請求項５または６のいずれかに記載の電子透かし検出応用方法。
【請求項８】
初期設定手段を有し、前記最大評価値の初期値とそれに対応した撮影支援情報の初期情報を予め設定することを特徴とする請求項５〜７のいずれかに記載の電子透かし検出応用方法。
【請求項９】
前記最大評価値記憶手段は、
検出された前記電子透かしまたは前記入力情報毎に、最大の検出評価値を記憶し、前記撮影支援情報提供手段は、検出された前記電子透かし毎または前記入力情報毎に処理することを特徴とする請求項５〜８のいずれかに記載の電子透かし検出応用方法。
【請求項１０】
前記最大評価値記憶手段は、
画像を撮影した情報端末機種毎に、最大の検出評価値を記憶し、前記撮影支援情報提供手段は、前記情報端末機種毎に処理することを特徴とする請求項５〜９のいずれかに記載の電子透かし検出応用方法。
【請求項１１】
前記検出評価値算出手段が前記情報端末上にのみあり、前記撮影支援情報提供手段が前記情報端末上にない場合に、前記情報端末が送信手段を経て検出評価値を前記撮影支援情報提供手段に送信することを特徴とする請求項５〜１０のいずれかに記載の電子透かし検出応用方法。
【請求項１２】
最大評価値に対応した撮影支援情報が前記情報端末上にのみあり、前記撮影支援情報提供手段が前記情報端末上にない場合に、前記情報端末が送信手段を経て前記最大評価値に対応した撮影支援情報を前記撮影支援情報提供手段に送信することを特徴とする請求項５〜１１のいずれかに記載の電子透かし検出応用方法。
【請求項１３】
前記撮影支援情報は、
前記情報端末上のカメラで電子透かし入り画像を撮影した撮影のための見本となる撮影見本画像であって、検出評価値を高めるための前記撮影見本画像を前記画像撮影者に提供することを特徴とする請求項１〜１２のいずれかに記載の電子透かし検出応用方法。
【請求項１４】
画像撮影者が情報端末上のカメラで撮影した電子透かし入り画像から電子透かしを検出するための電子透かし検出手段と、検出された前記電子透かしもしくは外部より入力された入力情報から取得した関連情報を画像撮影者に提供するための関連情報提供手段と、を有する電子透かし検出応用システムであって、
前記検出の確からしさを示す検出評価値を算出するための検出評価値算出手段と、
前記検出評価値を高めるための撮影支援情報を前記画像撮影者に提供するための撮影支援情報提供手段と、
を備えることを特徴とする電子透かし検出応用システム。
【請求項１５】
前記検出評価値算出手段は、
前記電子透かし検出手段に含まれることを特徴とする請求項１４に記載の電子透かし検出応用システム。
【請求項１６】
前記撮影支援情報提供手段は、
前記関連情報提供手段に含まれることを特長とする請求項１４または１５のいずれかに記載の電子透かし検出応用システム。
【請求項１７】
前記撮影支援情報提供手段は、
前記検出評価値が所定の閾値未満である検出失敗と判断された場合において、前記検出評価値が前記閾値以上である検出成功となるための撮影支援情報を提供することを特徴とする請求項１４〜１６のいずれかに記載の電子透かし検出応用システム。
【請求項１８】
最大の検出評価値を更新して記憶する最大評価値記憶手段を有し、前記撮影支援情報提供手段は、前記検出評価値が最大となるための撮影支援情報を提供することを特徴とする請求項１４〜１７のいずれかに記載の電子透かし検出応用システム。
【請求項１９】
前記撮影支援情報提供手段は、
算出された検出評価値が最大とならなかった場合に、前記検出評価値が最大となるための撮影支援情報を提供することを特徴とする請求項１８に記載の電子透かし検出応用システム。
【請求項２０】
前記撮影支援情報提供手段は、
算出された前記検出評価値が最大となった場合に、前記最大評価値記憶手段に記憶されている最大評価値を更新すると共に、提供する前記撮影支援情報を最大となったものに対応して更新することを特徴とする請求項１８または１９のいずれかに記載の電子透かし検出応用システム。
【請求項２１】
初期設定手段を有し、前記最大評価値の初期値とそれに対応した撮影支援情報の初期情報を予め設定することを特徴とする請求項１８〜２０のいずれかに記載の電子透かし検出応用システム。
【請求項２２】
前記最大評価値記憶手段は、
検出された前記電子透かしまたは前記入力情報毎に、最大の検出評価値を記憶し、前記撮影支援情報提供手段は、検出された前記電子透かし毎または前記入力情報毎に処理することを特徴とする請求項１８〜２１のいずれかに記載の電子透かし検出応用システム。
【請求項２３】
前記最大評価値記憶手段は、
画像を撮影した情報端末機種毎に、最大の検出評価値を記憶し、前記撮影支援情報提供手段は、前記情報端末機種毎に処理することを特徴とする請求項１８〜２２のいずれかに記載の電子透かし検出応用システム。
【請求項２４】
前記検出評価値算出手段が前記情報端末上にのみあり、前記撮影支援情報提供手段が前記情報端末上にない場合に、前記情報端末が送信手段を経て検出評価値を前記撮影支援情報提供手段に送信することを特徴とする請求項１８〜２３のいずれかに記載の電子透かし検出応用システム。
【請求項２５】
最大評価値に対応した撮影支援情報が前記情報端末上にのみあり、前記撮影支援情報提供手段が前記情報端末上にない場合に、前記情報端末が送信手段を経て前記最大評価値に対応した撮影支援情報を前記撮影支援情報提供手段に送信することを特徴とする請求項１８〜２４のいずれかに記載の電子透かし検出応用システム。
【請求項２６】
前記撮影支援情報は、
前記情報端末上のカメラで電子透かし入り画像を撮影した撮影のための見本となる撮影見本画像であって、検出評価値を高めるための前記撮影見本画像を前記画像撮影者に提供することを特徴とする請求項１４〜２５のいずれかに記載の電子透かし検出応用システム。
【請求項２７】
電子透かし検出手段により画像撮影者が情報端末上のカメラで撮影した電子透かし入り画像から電子透かしを検出するステップと、関連情報提供手段により検出された前記電子透かしもしくは外部より入力された入力情報から取得した関連情報を画像撮影者に提供するステップと、を有する電子透かし検出応用プログラムであって、
検出評価値算出手段により前記検出の確からしさを示す検出評価値を算出するステップと、
撮影支援情報提供手段により前記検出評価値を高めるための撮影支援情報を前記画像撮影者に提供するステップと、
を有することを特徴とする電子透かし検出応用プログラム。
【請求項２８】
前記検出評価値算出手段は、
前記電子透かし検出手段に含まれることを特徴とする請求項２７に記載の電子透かし検出応用プログラム。
【請求項２９】
前記撮影支援情報提供手段は、
前記関連情報提供手段に含まれることを特長とする請求項２７または２８のいずれかに記載の電子透かし検出応用プログラム。
【請求項３０】
前記撮影支援情報提供手段は、
前記検出評価値が所定の閾値未満である検出失敗と判断された場合において、前記検出評価値が前記閾値以上である検出成功となるための撮影支援情報を提供することを特徴とする請求項２７〜２９のいずれかに記載の電子透かし検出応用プログラム。
【請求項３１】
最大の検出評価値を更新して記憶する最大評価値記憶手段を有し、前記撮影支援情報提供手段は、前記検出評価値が最大となるための撮影支援情報を提供することを特徴とする請求項２７〜３０のいずれかに記載の電子透かし検出応用プログラム。
【請求項３２】
前記撮影支援情報提供手段は、
算出された検出評価値が最大とならなかった場合に、前記検出評価値が最大となるための撮影支援情報を提供することを特徴とする請求項３１に記載の電子透かし検出応用プログラム。
【請求項３３】
前記撮影支援情報提供手段は、
算出された前記検出評価値が最大となった場合に、前記最大評価値記憶手段に記憶されている最大評価値を更新すると共に、提供する前記撮影支援情報を最大となったものに対応して更新することを特徴とする請求項３１または３２のいずれかに記載の電子透かし検出応用プログラム。
【請求項３４】
初期設定手段を有し、前記最大評価値の初期値とそれに対応した撮影支援情報の初期情報を予め設定することを特徴とする請求項３１〜３３のいずれかに記載の電子透かし検出応用プログラム。
【請求項３５】
前記最大評価値記憶手段は、
検出された前記電子透かしまたは前記入力情報毎に、最大の検出評価値を記憶し、前記撮影支援情報提供手段は、検出された前記電子透かし毎または前記入力情報毎に処理することを特徴とする請求項３１〜３４のいずれかに記載の電子透かし検出応用プログラム。
【請求項３６】
前記最大評価値記憶手段は、
画像を撮影した情報端末機種毎に、最大の検出評価値を記憶し、前記撮影支援情報提供手段は、前記情報端末機種毎に処理することを特徴とする請求項３１〜３５のいずれかに記載の電子透かし検出応用プログラム。
【請求項３７】
前記検出評価値算出手段が前記情報端末上にのみあり、前記撮影支援情報提供手段が前記情報端末上にない場合に、前記情報端末が送信手段を経て検出評価値を前記撮影支援情報提供手段に送信することを特徴とする請求項３１〜３６のいずれかに記載の電子透かし検出応用プログラム。
【請求項３８】
最大評価値に対応した撮影支援情報が前記情報端末上にのみあり、前記撮影支援情報提供手段が前記情報端末上にない場合に、前記情報端末が送信手段を経て前記最大評価値に対応した撮影支援情報を前記撮影支援情報提供手段に送信することを特徴とする請求項３１〜３７のいずれかに記載の電子透かし検出応用プログラム。
【請求項３９】
前記撮影支援情報は、
前記情報端末上のカメラで電子透かし入り画像を撮影した撮影のための見本となる撮影見本画像であって、検出評価値を高めるための前記撮影見本画像を前記画像撮影者に提供することを特徴とする請求項２７〜３８のいずれかに記載の電子透かし検出応用プログラム。
【発明の詳細な説明】
【技術分野】
【０００１】
本発明は、情報端末上のカメラで電子透かし入り画像を撮影した画像から電子透かしを検出する電子透かし検出手段と、検出された電子透かしまたは入力情報に基づいた関連情報を画像撮影者に提供する関連情報提供手段とを具備する、電子透かし検出応用方法、そのシステムおよびプログラムに関する。
【背景技術】
【０００２】
従来の技術による電子透かし検出応用方法では、撮影した画像からの電子透かし検出の確からしさが低かった場合、検出された電子透かしが正しくなく、その後の関連情報提供も不可能となる。
【０００３】
従って、確からしさが十分高くなるまで撮影と検出の再試行を繰り返す必要があり、画像撮影者が関連情報提供を受けるまで時間がかかってしまうという課題があった。
【０００４】
そのため、時間を短縮することを目的として、例えば次の２つの方法が提案されている。
【０００５】
（１）電子透かしを得る前に検出の確からしさの高低を判断し、低かった場合には電子透かしを得ずに再撮影を促すことで、試行１回ごとの時間を短縮する方法（例えば、非特許文献１参照）。
【０００６】
（２）画像の近傍等に電子透かし以外の方法でＩＤを付加しておき、マルチＩＤにより画像撮影の代わりにＩＤを入力して関連情報提供を受けることで、撮影と検出の再試行を含めた試行全体の時間を短縮する方法（例えば、特許文献１参照）。
【０００７】
電子透かし検出の確からしさの高い画像が撮影できれば、再試行回数が減り、結果として（１）、（２）のいずれにおいても時間を短縮することができる。
【特許文献１】特開２００４−３０３３０公報
【非特許文献１】「カメラ付き携帯電話機を用いたサービス仲介システムのための電子透かし検出方式」、ＦＩＴ（情報科学技術フォーラム）２００３講演論文集Ｎ−０２０
【発明の開示】
【発明が解決しようとする課題】
【０００８】
しかしながら、従来の技術による電子透かし検出応用方法のうち、前述の（１）の方法では画像撮影者には検出の確からしさの高低しか解らず、また前述の（２）の方法では検出さえしないので、画像撮影者はどうすれば電子透かし検出の確からしさを高められるのか解りにくい。従って、前述の（１）の方法、および（２）の方法だけでは再試行回数の削減に有効でないという課題があった。
【０００９】
また、画像の近傍等に検出の確からしさを高めるための撮影支援情報を付加しておき、画像撮影者が情報を参考に撮影することで、再試行回数を削減する方法も考えられるが、「電子透かしを埋め込んだか、あるいはＩＤを近傍に付加した画像の特性」や「画像を撮影した情報端末機種の特性」等によって、適切な撮影支援情報が様々にあり得るので、情報が膨大となってしまっていた。
【００１０】
従って、情報提供者側としては画像の近傍にＩＤなどの情報を付加できなかったり、各種特性毎の情報をすべて作成できなかったり、適切な情報の作成にノウハウを必要としたり、逆に画像撮影者側としては適切に情報を参考にできず、再試行回数の削減に必ずしも有効でないという課題があった。
【００１１】
本発明は上記の点に鑑みてなされたものであり、電子透かし検出の確からしさの高低判断ができ、ＩＤを入力して関連情報提供を受けることができ、
また、電子透かしを埋め込みあるいはＩＤを近傍に付加した画像の様々な特性や、画像を撮影した情報端末機種の特性が様々にある状況に対し、情報提供者の労力を軽減し、状況に応じて適切な撮影支援情報を画像撮影者に提供可能な電子透かし検出応用方法、そのシステムおよびプログラムを提供することを目的とする。
【課題を解決するための手段】
【００１２】
請求項１に記載の本発明は、電子透かし検出手段により画像撮影者が情報端末上のカメラで撮影した電子透かし入り画像から電子透かしを検出するステップと、関連情報提供手段により検出された前記電子透かしもしくは外部より入力された入力情報から取得した関連情報を画像撮影者に提供するステップと、を有する電子透かし検出応用方法であって、検出評価値算出手段により前記検出の確からしさを示す検出評価値を算出するステップと、撮影支援情報提供手段により前記検出評価値を高めるための撮影支援情報を前記画像撮影者に提供するステップと、を有する。
【００１３】
また、請求項２に記載の本発明は、請求項１において、前記検出評価値算出手段は、前記電子透かし検出手段に含まれる。
【００１４】
また、請求項３に記載の本発明は、請求項１または２のいずれかにおいて、前記撮影支援情報提供手段は、前記関連情報提供手段に含まれる。
【００１５】
また、請求項４に記載の本発明は、請求項１〜３のいずれかにおいて、前記撮影支援情報提供手段は、前記検出評価値が所定の閾値未満である検出失敗と判断された場合において、前記検出評価値が前記閾値以上である検出成功となるための撮影支援情報を提供する。
【００１６】
また、請求項５に記載の本発明は、請求項１〜４のいずれかにおいて、最大の検出評価値を更新して記憶する最大評価値記憶手段を有し、前記撮影支援情報提供手段は、前記検出評価値が最大となるための撮影支援情報を提供する。
【００１７】
また、請求項６に記載の本発明は、請求項５において、前記撮影支援情報提供手段は、算出された検出評価値が最大とならなかった場合に、前記検出評価値が最大となるための撮影支援情報を提供する。
【００１８】
また、請求項７に記載の本発明は、請求項５または６のいずれかにおいて、前記撮影支援情報提供手段は、算出された前記検出評価値が最大となった場合に、前記最大評価値記憶手段に記憶されている最大評価値を更新すると共に、提供する前記撮影支援情報を最大となったものに対応して更新する。
【００１９】
また、請求項８に記載の本発明は、請求項５〜７のいずれかにおいて、初期設定手段を有し、前記最大評価値の初期値とそれに対応した撮影支援情報の初期情報を予め設定する。
【００２０】
また、請求項９に記載の本発明は、請求項５〜８のいずれかにおいて、前記最大評価値記憶手段は、検出された前記電子透かしまたは前記入力情報毎に、最大の検出評価値を記憶し、前記撮影支援情報提供手段は、検出された前記電子透かし毎または前記入力情報毎に処理する。
【００２１】
また、請求項１０に記載の本発明は、請求項５〜９のいずれかにおいて、前記最大評価値記憶手段は、画像を撮影した情報端末機種毎に、最大の検出評価値を記憶し、前記撮影支援情報提供手段は、前記情報端末機種毎に処理する。
【００２２】
また、請求項１１に記載の本発明は、請求項５〜１０のいずれかにおいて、前記検出評価値算出手段が前記情報端末上にのみあり、前記撮影支援情報提供手段が前記情報端末上にない場合に、前記情報端末が送信手段を経て検出評価値を前記撮影支援情報提供手段に送信する。
【００２３】
また、請求項１２に記載の本発明は、請求項５〜１１のいずれかにおいて、最大評価値に対応した撮影支援情報が前記情報端末上にのみあり、前記撮影支援情報提供手段が前記情報端末上にない場合に、前記情報端末が送信手段を経て前記最大評価値に対応した撮影支援情報を前記撮影支援情報提供手段に送信する。
【００２４】
また、請求項１３に記載の本発明は、請求項１〜１２のいずれかにおいて、前記撮影支援情報は、前記情報端末上のカメラで電子透かし入り画像を撮影した撮影のための見本となる撮影見本画像であって、検出評価値を高めるための前記撮影見本画像を前記画像撮影者に提供する。
【００２５】
また、請求項１４に記載の本発明は、画像撮影者が情報端末上のカメラで撮影した電子透かし入り画像から電子透かしを検出するための電子透かし検出手段と、検出された前記電子透かしもしくは外部より入力された入力情報から取得した関連情報を画像撮影者に提供するための関連情報提供手段と、を有する電子透かし検出応用システムであって、前記検出の確からしさを示す検出評価値を算出するための検出評価値算出手段と、前記検出評価値を高めるための撮影支援情報を前記画像撮影者に提供するための撮影支援情報提供手段と、を備える。
【００２６】
また、請求項１５に記載の本発明は、請求項１４において、前記検出評価値算出手段は、前記電子透かし検出手段に含まれる。
【００２７】
また、請求項１６に記載の本発明は、請求項１４または１５のいずれかにおいて、前記撮影支援情報提供手段は、前記関連情報提供手段に含まれる。
【００２８】
また、請求項１７に記載の本発明は、請求項１４〜１６のいずれかにおいて、前記撮影支援情報提供手段は、前記検出評価値が所定の閾値未満である検出失敗と判断された場合において、前記検出評価値が前記閾値以上である検出成功となるための撮影支援情報を提供する。
【００２９】
また、請求項１８に記載の本発明は、請求項１４〜１７のいずれかにおいて、最大の検出評価値を更新して記憶する最大評価値記憶手段を有し、前記撮影支援情報提供手段は、前記検出評価値が最大となるための撮影支援情報を提供する。
【００３０】
また、請求項１９に記載の本発明は、請求項１８において、前記撮影支援情報提供手段は、算出された検出評価値が最大とならなかった場合に、前記検出評価値が最大となるための撮影支援情報を提供する。
【００３１】
また、請求項２０に記載の本発明は、請求項１８または１９のいずれかにおいて、前記撮影支援情報提供手段は、算出された前記検出評価値が最大となった場合に、前記最大評価値記憶手段に記憶されている最大評価値を更新すると共に、提供する前記撮影支援情報を最大となったものに対応して更新する。
【００３２】
また、請求項２１に記載の本発明は、請求項１８〜２０のいずれかにおいて、初期設定手段を有し、前記最大評価値の初期値とそれに対応した撮影支援情報の初期情報を予め設定する。
【００３３】
また、請求項２２に記載の本発明は、請求項１８〜２１のいずれかにおいて、前記最大評価値記憶手段は、検出された前記電子透かしまたは前記入力情報毎に、最大の検出評価値を記憶し、前記撮影支援情報提供手段は、検出された前記電子透かし毎または前記入力情報毎に処理する。
【００３４】
また、請求項２３に記載の本発明は、請求項１８〜２２のいずれかにおいて、前記最大評価値記憶手段は、画像を撮影した情報端末機種毎に、最大の検出評価値を記憶し、前記撮影支援情報提供手段は、前記情報端末機種毎に処理する。
【００３５】
また、請求項２４に記載の本発明は、請求項１８〜２３のいずれかにおいて、前記検出評価値算出手段が前記情報端末上にのみあり、前記撮影支援情報提供手段が前記情報端末上にない場合に、前記情報端末が送信手段を経て検出評価値を前記撮影支援情報提供手段に送信する。
【００３６】
また、請求項２５に記載の本発明は、請求項１８〜２４のいずれかにおいて、最大評価値に対応した撮影支援情報が前記情報端末上にのみあり、前記撮影支援情報提供手段が前記情報端末上にない場合に、前記情報端末が送信手段を経て前記最大評価値に対応した撮影支援情報を前記撮影支援情報提供手段に送信する。
【００３７】
また、請求項２６に記載の本発明は、請求項１４〜２５のいずれかにおいて、前記撮影支援情報は、前記情報端末上のカメラで電子透かし入り画像を撮影した撮影のための見本となる撮影見本画像であって、検出評価値を高めるための前記撮影見本画像を前記画像撮影者に提供する。
【００３８】
また、請求項２７に記載の本発明は、電子透かし検出手段により画像撮影者が情報端末上のカメラで撮影した電子透かし入り画像から電子透かしを検出するステップと、関連情報提供手段により検出された前記電子透かしもしくは外部より入力された入力情報から取得した関連情報を画像撮影者に提供するステップと、を有する電子透かし検出応用プログラムであって、検出評価値算出手段により前記検出の確からしさを示す検出評価値を算出するステップと、撮影支援情報提供手段により前記検出評価値を高めるための撮影支援情報を前記画像撮影者に提供するステップと、を有する。
【００３９】
また、請求項２８に記載の本発明は、請求項２７において、前記検出評価値算出手段は、前記電子透かし検出手段に含まれる。
【００４０】
また、請求項２９に記載の本発明は、請求項２７または２８のいずれかにおいて、前記撮影支援情報提供手段は、前記関連情報提供手段に含まれる。
【００４１】
また、請求項３０に記載の本発明は、請求項２７〜２９のいずれかにおいて、前記撮影支援情報提供手段は、前記検出評価値が所定の閾値未満である検出失敗と判断された場合において、前記検出評価値が前記閾値以上である検出成功となるための撮影支援情報を提供する。
【００４２】
また、請求項３１に記載の本発明は、請求項２７〜３０のいずれかにおいて、最大の検出評価値を更新して記憶する最大評価値記憶手段を有し、前記撮影支援情報提供手段は、前記検出評価値が最大となるための撮影支援情報を提供する。
【００４３】
また、請求項３２に記載の本発明は、請求項３１において、前記撮影支援情報提供手段は、算出された検出評価値が最大とならなかった場合に、前記検出評価値が最大となるための撮影支援情報を提供する。
【００４４】
また、請求項３３に記載の本発明は、請求項３１または３２のいずれかにおいて、前記撮影支援情報提供手段は、算出された前記検出評価値が最大となった場合に、前記最大評価値記憶手段に記憶されている最大評価値を更新すると共に、提供する前記撮影支援情報を最大となったものに対応して更新する。
【００４５】
また、請求項３４に記載の本発明は、請求項３１〜３３のいずれかにおいて、初期設定手段を有し、前記最大評価値の初期値とそれに対応した撮影支援情報の初期情報を予め設定する。
【００４６】
また、請求項３５に記載の本発明は、請求項３１〜３４のいずれかにおいて、前記最大評価値記憶手段は、検出された前記電子透かしまたは前記入力情報毎に、最大の検出評価値を記憶し、前記撮影支援情報提供手段は、検出された前記電子透かし毎または前記入力情報毎に処理する。
【００４７】
また、請求項３６に記載の本発明は、請求項３１〜３５のいずれかにおいて、前記最大評価値記憶手段は、画像を撮影した情報端末機種毎に、最大の検出評価値を記憶し、前記撮影支援情報提供手段は、前記情報端末機種毎に処理する。
【００４８】
また、請求項３７に記載の本発明は、請求項３１〜３６のいずれかにおいて、前記検出評価値算出手段が前記情報端末上にのみあり、前記撮影支援情報提供手段が前記情報端末上にない場合に、前記情報端末が送信手段を経て検出評価値を前記撮影支援情報提供手段に送信する。
【００４９】
また、請求項３８に記載の本発明は、請求項３１〜３７のいずれかにおいて、最大評価値に対応した撮影支援情報が前記情報端末上にのみあり、前記撮影支援情報提供手段が前記情報端末上にない場合に、前記情報端末が送信手段を経て前記最大評価値に対応した撮影支援情報を前記撮影支援情報提供手段に送信する。
【００５０】
また、請求項３９に記載の本発明は、請求項２７〜３８のいずれかにおいて、前記撮影支援情報は、前記情報端末上のカメラで電子透かし入り画像を撮影した撮影のための見本となる撮影見本画像であって、検出評価値を高めるための前記撮影見本画像を前記画像撮影者に提供する。
【発明の効果】
【００５１】
本発明によれば、電子透かし検出の確からしさの高低判断ができ、ＩＤを入力して関連情報提供を受けることができ、
また、電子透かしを埋め込みあるいはＩＤを近傍に付加した画像の様々な特性や、画像を撮影した情報端末機種の特性が様々にある状況に対し、情報提供者の労力を軽減し、状況に応じて適切な撮影支援情報を画像撮影者に提供可能な電子透かし検出応用方法、そのシステムおよびプログラムを提供することができる。
【発明を実施するための最良の形態】
【００５２】
以下、図面を参照しつつ本発明の電子透かし検出応用方法およびシステム、プログラムについての説明を行う。なお、以下の実施の形態は、あくまでも本発明の説明のためのものであり、本発明の範囲を制限するものではない。従って、当業者であれば、これらの各要素または全要素を含んだ各種の実施の形態を採用することが可能であるが、これらの実施の形態も本発明の範囲に含まれる。
【００５３】
＜第１の実施の形態＞
図１は、本発明の第１の実施の形態に係る、電子透かし検出応用システムの構成および情報処理を説明するための説明図である。
【００５４】
この図１には、電子透かしを含む画像を撮影するための電子透かし検出応用端末１と、インターネットなどのネットワーク２と、電子透かしを情報処理するための電子透かし検出応用サーバ３と、が示されている。
【００５５】
また、電子透かし検出応用端末１には、画像撮影部４と、ＩＤ入力部５と、関連情報表示部６と、撮影支援情報表示部７と、を有している。
【００５６】
また、電子透かし検出応用サーバ３には、電子透かし検出部８と、関連情報提供部９と、検出評価値算出部１５と、撮影支援情報提供部１０と、最大評価値記憶部１１と、関連情報記憶部１２と、初期設定部１３と、を有している。
【００５７】
なお、図１中に示された各矢印線は、共通のフローａと、検出成功時のフローｂと、検出成功かつ評価値最大時のフローｃと、検出失敗時のフローｄと、をそれぞれ示している。
【００５８】
このような構成において、図１に参照される画像撮影部４は、電子透かし検出応用端末１上の図示しないカメラで図示しない電子透かし入り画像を撮影する。こうして撮影された撮影画像は、電子透かし検出応用端末１の機種を示す機種情報と共に電子透かし検出応用サーバ３に送信され、電子透かし検出部８は撮影画像から電子透かしを検出する。
【００５９】
まず最初に、検出に成功した場合のフローについて説明する。
【００６０】
検出した電子透かしは関連情報提供部９を経て、電子透かしに対応した関連情報を関連情報記憶部１２から読み出し、電子透かし検出応用端末１に関連情報を送信し、電子透かし検出応用端末１は、送信された関連情報を関連情報表示部６で表示する。
【００６１】
一方、電子透かし検出部８は、検出の確からしさを示す検出評価値を算出する検出評価値算出部１５を含む構成を備えており、本第１の実施の形態においては、そこから検出評価値を読み出すようにしている。
【００６２】
検出に成功した場合、電子透かし検出応用端末１の機種情報と検出した電子透かしと共に、撮影画像と読み出した検出評価値が撮影支援情報提供部１０に入力される。撮影支援情報提供部１０は検出評価値の入力があった場合、最大評価値記憶部１１から、入力された電子透かし検出応用端末１の機種情報と電子透かしとに対応した最大評価値を読み出し、検出評価値と比較する。
【００６３】
次に、図２に、最大評価値記憶部１１の構成例と初期設定を示す。
【００６４】
この図２に示す最大評価値記憶部１１の内部データ構成は、電子透かし情報２０と、電子透かし情報２０と、電子透かし情報２０に対応した入力情報であるＩＤ２２と、を含んでいる。
【００６５】
電子透かし検出応用端末１の機種情報２１と電子透かし情報２０とに対応した検出評価値のうち、それまでの中で最大となったものを記憶している。本第１の実施の形態においては、電子透かし検出の閾値（検出評価値がそれ以上なら検出成功とする）を「１００」と仮定し、見本として十分に上回る「１５０」で初期設定している。そして、その後の処理により最大評価値の一部が更新され、初期設定より大きな値となっている。
【００６６】
検出評価値が最大評価値より大きい場合、撮影支援情報提供部１０は電子透かし検出応用端末１の機種情報２１と電子透かし情報２０とに対応した最大評価値を、検出評価値で更新すると共に、撮影支援情報提供部１０は、電子透かし検出応用端末１の機種情報２１と電子透かし情報２０とに対応した撮影支援情報を、入力された撮影画像で更新し撮影見本画像とする。
【００６７】
次に、図３に、撮影見本画像による撮影支援情報の例と初期設定を示す。
【００６８】
電子透かし検出応用端末１の機種情報２１と電子透かし情報２０とに対応した最大評価値に対応した、撮影画像を記憶している。本第１の実施の形態では、電子透かし検出応用端末１の機種情報２１毎の撮影画像を、各々、大サイズ、縦横逆転、標準サイズ、標準サイズと仮定し、電子透かし検出応用端末１の機種情報２１毎に評価値を高められる撮影見本画像を初期設定している。そして、その後の処理により、撮影見本画像の一部が更新され、初期設定より見本に適した画像となっている。
【００６９】
次に、図４〜図６を参照して、本発明の電子透かし検出応用システムの動作を説明する。まず、図４および図６を参照して、検出成功かつ評価値最大時の動作例を示す。
【００７０】
最大評価値値及び撮影支援情報の前提条件として、図２及び図３を仮定し、電子透かし検出応用端末１の機種情報２１「Ａ５０５ｉ」上のカメラで電子透かし入り画像を撮影する（図６中、Ｓ１）。こうして撮影した画像を、検出応用端末１の機種情報と撮影した画像データと共に電子透かし検出応用サーバへ送信する（図６中、Ｓ２）。
【００７１】
電子透かし検出応用サーバ３は、受信した画像データから電子透かしを検出し、関連情報を読み出す（図６中、Ｓ３）。検出された関連情報は電子透かし検出応用端末１に送信される（図６中、Ｓ４）。この検出は電子透かし検出部８で実行され、その結果、電子透かし情報２０「Ｆ１２１」が検出され、検出評価値「１７３」が読み出され（図６中、Ｓ６）、検出に成功（図６中、Ｓ７）したと仮定する（図４中（イ））。
【００７２】
この場合、電子透かし検出応用端末１の機種情報２１「Ａ５０５ｉ」と、電子透かし情報２０「Ｆ１２１」とに対応した最大評価値「１５０」と比較し（図４中（ロ））（図６中、Ｓ１２）、「１５０＜１７３」で「１７３」は評価値最大なので更新を行う（図４中（ハ））（図６中、Ｓ１３）。
【００７３】
具体的には、電子透かし検出応用端末１の機種情報２１「Ａ５０５ｉ」と電子透かし情報２０「Ｆ１２１」とに対応した最大評価値を「１７３」に更新し、対応した撮影見本画像を撮影画像に更新する。一方、電子透かし情報２０「Ｆ１２１」に対応した関連情報を電子透かし検出応用端末１で表示する（図６中、Ｓ５）。
【００７４】
なお、検出成功だが評価値最大でない場合は、更新を行わない以外は図４の動作例と同じであるので説明を省略する。
【００７５】
次に、図５および図６を参照して、電子透かし検出に失敗した場合の動作例について説明する。
【００７６】
図１において、電子透かし検出部８は、電子透かし検出応用端末１のＩＤ入力部５に対してＩＤ２２を要求する（図６中、Ｓ８）。ＩＤ入力部５は、入力されたＩＤ２２（図６中、Ｓ９）を関連情報提供部９に送信する。ＩＤ２２は関連情報提供部９を経て、ＩＤ２２に対応した関連情報を関連情報記憶部１２から読み出し、電子透かし検出応用端末１に関連情報を送信する。
【００７７】
電子透かし検出応用端末１は、送信された関連情報を関連情報表示部６で表示すると共に、撮影支援情報表示部７を呼び出し、撮影支援情報表示部７は電子透かし検出応用サーバ３の撮影支援情報提供部１０に、電子透かし検出応用端末１の機種情報２１とＩＤ２２とに対応した撮影見本画像を要求する（図６中、Ｓ１０）。
【００７８】
撮影支援情報提供部１０は、電子透かし検出応用端末１の機種情報２１とＩＤ２２とに対応した撮影見本画像を電子透かし検出応用端末１に送信し、電子透かし検出応用端末１は、送信された撮影見本画像を撮影支援情報表示部７で表示する（図６中、Ｓ１１）。
【００７９】
さらに、図５を参照して電子透かし検出に失敗した場合の動作例を説明する。
【００８０】
最大評価値及び撮影支援情報の前提条件として図２及び図３後を仮定し、電子透かし検出応用端末１の機種情報２１「Ａ５０５ｉ」上のカメラで電子透かし入り画像を撮影した画像を、電子透かし検出応用サーバ３の電子透かし検出部８で検出する。その結果、検出評価値９４で検出に失敗し（図５中（ニ））、その後のＩＤ要求に対してＩＤ２２として「０００１」を入力したと仮定する（図５中（ホ））。
【００８１】
この場合、電子透かし検出応用端末１の機種情報２１「Ａ５０５ｉ」と送信（図５中（ヘ））されたＩＤ２２「０００１」とに対応した撮影見本画像を電子透かし検出応用端末１で表示する（図５中（ト））。一方、ＩＤ２２「０００１」に対応した関連情報を電子透かし検出応用端末１で表示する。
【００８２】
上記のような本発明の第１の実施の形態に係る電子透かし検出応用システムでは、ＩＤ２２を入力して関連情報提供を受ける方法であっても、画像撮影者は、検出の確からしさの高低に対応して検出の確からしさを高められる撮影見本画像を参考にすることで、その後の撮影時の再試行回数の削減が期待でき、かつ初期設定のみしておけば、その後は撮影画像が自律的に更新されるので、情報提供者の労力を要しないという特徴がある。
【００８３】
また、電子透かし検出応用端末１の処理が少ない一方で電子透かし検出応用サーバ３の処理が多いという特徴がある。そのため、例えば、様々に性能差のある多種類のカメラ付き携帯電話と、様々の撮影技能差のある多人数の画像撮影者を対象として、ネットワーク２を介して大規模な関連情報提供サービスを行うシステム等に適している。
【００８４】
＜第２の実施の形態＞
図７は、本発明の第２の実施の形態に係る電子透かし検出応用システムの構成例とフローを示す図である。
【００８５】
本第２の実施の形態と第１の実施の形態との相違点は、電子透かし検出部８が電子透かし検出応用端末１上にあり、電子透かし検出応用サーバ３上にある撮影支援情報提供部１０に必要に応じて送信する送信部１６、１７を具備する点において異なっている。
【００８６】
この図７には、電子透かしを含む画像を撮影するための電子透かし検出応用端末１と、インターネットなどのネットワーク２と、電子透かしを情報処理するための電子透かし検出応用サーバ３と、が示されている。
【００８７】
また、電子透かし検出応用端末１には、画像撮影部４と、ＩＤ入力部５と、関連情報表示部６と、撮影支援情報表示部７と、電子透かし検出部８と、検出評価値算出部１５と、送信部１６、１７と、を有している。
【００８８】
また、電子透かし検出応用サーバ３には、関連情報提供部９と、撮影支援情報提供部１０と、最大評価値記憶部１１と、関連情報記憶部１２と、初期設定部１３と、を有している。
【００８９】
なお、図７中に示された各矢印線は、共通のフローａと、検出成功時のフローｂと、検出成功かつ評価値最大時のフローｃと、検出失敗時のフローｄと、をそれぞれ示している。
【００９０】
まず、検出に成功した場合のフローについて説明する。この説明において、図７〜図９を参照して、本発明の電子透かし検出応用システムの動作を説明する。まず、図７および図９を参照して以下に説明する。
【００９１】
図７において、画像撮影部４は、電子透かし検出応用端末１上のカメラで電子透かし入り画像を撮影し（図９中、Ｓ２０）、電子透かし検出部８で撮影画像から電子透かしを検出する。
【００９２】
検出した電子透かし情報２０は、電子透かし検出応用サーバ３に送信され（図９中、Ｓ２１）、関連情報提供部９を経て、電子透かし情報２０に対応した関連情報を関連情報記憶部１２から読み出し、電子透かし検出応用端末１に関連情報を送信する（図９中、Ｓ２２）。電子透かし検出応用端末１は、送信された関連情報を関連情報表示部６で表示する（図９中、Ｓ２３）。
【００９３】
一方、電子透かし検出部８は、検出の確からしさを示す検出評価値を算出する検出評価値算出部１５を含む構成を仮定しており、本発明の第１の実施の形態では、そこから検出評価値を読み出すようにしている（図９中、Ｓ２４）。
【００９４】
検出に成功した場合（図９中、Ｓ２５）、電子透かし検出応用端末１の機種情報２１と検出した電子透かし情報２０と共に、読み出した検出評価値が送信部１６を介して撮影支援情報提供部１０に送信される（図９中、Ｓ２６）。撮影支援情報提供部１０は検出評価値の入力があった場合、最大評価値記憶部１１から、入力された電子透かし検出応用端末１の機種情報２１と電子透かし情報２０とに対応した最大評価値を読み出し、検出評価値と比較する。この比較において、検出評価値が最大値であるか否かが判断される（図９中、Ｓ２７）。
【００９５】
検出評価値が最大評価値より大きい場合、撮影支援情報提供部１０は電子透かし検出応用端末１の機種情報２１と電子透かし情報２０とに対応した最大評価値を、検出評価値で更新すると共に（図９中、Ｓ２８）、撮影支援情報提供部１０は撮影画像を電子透かし検出応用端末１に要求する（図９中、Ｓ２９）。
【００９６】
撮影画像は送信部１７を介して撮影支援情報提供部１０に送信され（図９中、Ｓ３０）、撮影支援情報提供部１０は、電子透かし検出応用端末１の機種情報２１と電子透かし情報２０とに対応した撮影支援情報を、入力された撮影画像で更新し撮影見本画像とする（図９中、Ｓ３１）。
【００９７】
また一方で、検出に失敗した場合、電子透かし検出部８は、電子透かし検出応用端末１のＩＤ入力部５に対してＩＤ２２を要求する（図９中、Ｓ３２）。ＩＤ入力部５は、入力されたＩＤ２２（図９中、Ｓ３３）を関連情報提供部９に送信する。ＩＤ２２は関連情報提供部９を経て、ＩＤ２２に対応した関連情報を関連情報記憶部１２から読み出し、関連情報表示部６に送信して関連情報を表示すると共に、撮影支援情報表示部７を呼び出す（図９中、Ｓ３４）。
【００９８】
次に、電子透かし検出応用端末１は、撮影支援情報提供部１０に撮影見本画像を要求する。撮影支援情報提供部１０は、撮影支援情報表示部７に撮影見本画像を提供し、撮影見本画像が表示される（図９中、Ｓ３５）。
【００９９】
なお、最大評価値記憶部１１の構成例と初期設定、及び撮影見本画像による撮影支援情報の例と初期設定は、既に説明した図２及び図３と同じであるので、説明を省略する。
【０１００】
さらに、図８を参照して、検出成功かつ評価値最大時の動作例を示す。
【０１０１】
最大評価値及び撮影支援情報の前提条件として、既に説明した図２及び図３を参照し、電子透かし検出応用端末１の機種情報２１「Ａ５０５ｉ」上のカメラで電子透かし入り画像を撮影した画像を、電子透かし検出応用端末１の電子透かし検出部８で検出した結果、電子透かし情報２０「Ｆ１２１」、検出評価値「１７３」（図８中（リ））で検出に成功したと仮定する（図８中（チ））。
【０１０２】
この場合、検出評価値が電子透かし検出応用端末１の機種情報２１と電子透かし情報２０「Ｆ１２１」と共に電子透かし検出応用サーバ３に送信され、電子透かし検出応用端末１の機種情報２１「Ａ５０５ｉ」と電子透かし情報２０「Ｆ１２１」とに対応した最大評価値１５０と比較し、「１５０＜１７３」で「１７３」は評価値最大なので更新を行う（図８中（ル））。
【０１０３】
具体的には、電子透かし検出応用端末１の機種情報２１「Ａ５０５ｉ」と電子透かし情報２０「Ｆ１２１」とに対応した最大評価値を「１７３」に更新すると共に、電子透かし検出応用端末１に撮影画像を要求（図８中（ヲ））して撮影画像が電子透かし検出応用サーバ３に送信され（図８中（ワ））、対応した撮影見本画像を撮影画像に更新する。一方、電子透かし情報２０「Ｆ１２１」に対応した関連情報を電子透かし検出応用端末１で表示する。
【０１０４】
なお、検出成功だが評価値最大でない場合は、更新を行わない以外は図４の動作例と同じであるので説明を省略する。また、検出失敗の場合は、電子透かし検出応用端末１で検出失敗となる以外は既に説明した図５の動作例と同じであるので説明を省略する。
【０１０５】
上記のような第２の実施の形態では、第１の実施の形態と同様に、その後の撮影時再試行回数の削減が期待でき、かつ情報提供者の労力を要しないという特徴がある。また、電子透かし検出応用端末１上で電子透かしを検出するのに伴い、電子透かし検出応用端末１上での処理がやや多い一方で、電子透かし検出応用サーバ３の処理がやや少なく、検出成功かつ評価値最大時以外での通信量が少ないという特徴がある。
【０１０６】
そのため、例えば、高性能のカメラ付き携帯電話を対象として関連情報提供サービスを行うシステム等に適している。
【０１０７】
＜第３の実施の形態＞
図１０は、本発明の第３の実施の形態の構成例とフロー図を示している。
【０１０８】
この第３の実施の形態は、第２の実施の形態との相違点として、撮影支援情報提供部１０、最大評価値記憶部１１、及び初期設定部１３が電子透かし検出応用端末１上にあり、送信部１６が無く、それに伴って検出成功時や電子透かし情報２０毎や電子透かし検出応用端末１の端末機種毎でなく記憶する点などである。
【０１０９】
この図１０には、電子透かしを含む画像を撮影するための電子透かし検出応用端末１と、インターネットなどのネットワーク２と、電子透かしを情報処理するための電子透かし検出応用サーバ３と、が示されている。
【０１１０】
また、電子透かし検出応用端末１には、画像撮影部４と、関連情報表示部６と、撮影支援情報表示部７と、電子透かし検出部８と、撮影支援情報提供部１０と、最大評価値記憶部１１と、初期設定部１３と、検出評価値算出部１５と、を有している。
【０１１１】
また、電子透かし検出応用サーバ３には、関連情報提供部９と、関連情報記憶部１２と、を有している。
【０１１２】
なお、図１０中に示された各矢印線は、共通のフローａと、検出成功時のフローｂと、検出失敗時のフローｃと、検出失敗かつ評価値最大時のフローｄと、をそれぞれ示している。
【０１１３】
まず、検出に成功した場合のフローについて説明する。この説明において、図１０〜図１３を参照して、本発明の電子透かし検出応用システムの動作を説明する。まず、図１０および図１３を参照して以下に説明する。
【０１１４】
図１０において、画像撮影部４は、電子透かし検出応用端末１上のカメラで電子透かし入り画像を撮影し（図１３中、Ｓ４０）、電子透かし検出部８で撮影画像から電子透かしを検出する（図１３中、Ｓ４１）。
【０１１５】
検出した電子透かし情報２０は電子透かし検出応用サーバ３に送信され（図１３中、Ｓ４２）、関連情報提供部９を経て、電子透かし情報２０に対応した関連情報を関連情報記憶部１２から読み出し、電子透かし検出応用端末１に関連情報を送信する（図１３中、Ｓ４３）。電子透かし検出応用端末１は、送信された関連情報を関連情報表示部６で表示する（図１３中、Ｓ４４）。
【０１１６】
一方、電子透かし検出部８は、初期設定部１３に撮影支援情報と最大評価値の初期化を要求する。初期設定部１３は、要求を受け撮影支援情報を無しにし、最大評価値を０にする（図１３中、Ｓ４６）。そしてその後の処理により、撮影支援情報と最大評価値は更新される。こうして、撮影支援情報は初期設定より見本に適した画像となり、最大評価値は初期設定より大きな値となる。
【０１１７】
次に、電子透かし検出に失敗した場合のフローについて説明する。
【０１１８】
上記の電子透かしとは別に、撮影画像から検出の確からしさを示す検出評価値を算出する検出評価値算出部１５を備えた構成を仮定している。検出に失敗した場合、算出された検出評価値が撮影支援情報提供部１０に入力される。撮影支援情報提供部１０は最大評価値記憶部１１から最大評価値を読み出し、検出評価値と比較する（図１３中、Ｓ４７）。
【０１１９】
検出評価値が最大評価値より大きい場合、撮影支援情報提供部１０は最大評価値を検出評価値で更新すると共に、撮影支援情報を、入力された撮影画像で更新し撮影見本画像として更新する（図１３中、Ｓ４９）。
【０１２０】
次に、図１１および図１３を参照して、電子透かしの検出失敗かつ評価値最大時の動作例を示す。
【０１２１】
まず、最大評価値及び撮影支援情報の前提条件として「８７」及びそれに対応した撮影見本画像を仮定し、電子透かし検出応用端末１上のカメラで電子透かし入り画像を撮影した画像を、電子透かし検出応用端末１の電子透かし検出部８で検出した結果、検出評価値「９４」（図１１中、（ヨ））で検出に失敗したと仮定する（図１１中（カ））。
【０１２２】
この場合、最大評価値「８７」と比較し（図１３中、Ｓ４７）、「８７＜９４」で、「９４」は評価値最大なので更新を行う。具体的には、最大評価値を「９４」に更新すると共に、それに対応した撮影画像で撮影見本画像を更新する（図１１中（タ））。なお、評価値最大時なので撮影見本画像の表示は行わない。
【０１２３】
次に、図１２に、検出失敗かつ評価値非最大時の動作例を示す。
【０１２４】
まず、最大評価値及び撮影支援情報の前提条件として「９４」及びそれに対応した撮影見本画像を仮定し、電子透かし検出応用端末１上のカメラで電子透かし入り画像を撮影した画像を、電子透かし検出応用端末１の電子透かし検出部８で検出した結果、検出評価値「９０」（図１２中、（ソ））で検出に失敗したと仮定する（図１２中（レ））。
【０１２５】
この場合、最大評価値「９４」と比較し、「９０＜９４」で「９０」は評価値非最大なので更新は行わず、撮影見本画像を参照し（図１２中（ツ））表示を行う（図１２中（ネ））（図１３中、Ｓ４８）。なお、撮影見本画像の表示は関連情報表示に含まれる構成を仮定しており、本第３の実施の形態では関連情報表示部６で表示するようにしている。
【０１２６】
上記のような本発明の第３の実施の形態に係る、電子透かし検出応用システムでは、検出失敗でもそれまでの中で検出の確からしさを高められる撮影見本画像を参考にすることで、その後の撮影時に再試行回数の削減がやや期待でき、かつ情報提供者の労力を殆ど要しないという特徴がある。
【０１２７】
また、電子透かし検出応用端末１上での処理が多い一方で電子透かし検出応用サーバ３側の処理が殆ど無いという特徴がある。そのため、例えば、既存の関連情報提供サービスの高性能電子透かし検出応用端末１への簡易な付加価値付与等に適している。
【図面の簡単な説明】
【０１２８】
【図１】本発明の第１の実施の形態に係る、電子透かし検出応用システムの構成例とフローを示す。
【図２】本発明の第１の実施の形態に係る、最大評価値記憶部の構成例と初期設定を示す。
【図３】本発明の第１の実施の形態に係る、撮影見本画像による撮影支援情報の例と初期設定を示す。
【図４】本発明の第１の実施の形態に係る、検出成功かつ評価値最大時の動作例を示す。
【図５】本発明の第１の実施の形態に係る、検出失敗時の動作例を示す。
【図６】本発明の第１の実施の形態に係る、電子透かし検出処理を説明するためのフロー図を示す。
【図７】本発明の第２の実施の形態に係る、電子透かし検出応用システムの構成例とフローを示す。
【図８】本発明の第２の実施の形態に係る、検出成功かつ評価値最大時の動作例を示す。
【図９】本発明の第２の実施の形態に係る、電子透かし検出処理を説明するためのフロー図を示す。
【図１０】本発明の第３の実施の形態に係る、電子透かし検出応用システムの構成例とフロー図を示す。
【図１１】本発明の第３の実施の形態に係る、検出失敗かつ評価値最大時の動作例を示す。
【図１２】本発明の第３の実施の形態に係る、検出失敗かつ評価値非最大時の動作例を示す。
【図１３】本発明の第３の実施の形態に係る、電子透かし検出処理を説明するためのフロー図を示す。
【符号の説明】
【０１２９】
１  電子透かし検出応用端末
２  ネットワーク
３  電子透かし検出応用サーバ
４  画像撮影部
５  ＩＤ入力部
６  関連情報表示部
７  撮影支援情報表示部
８  電子透かし検出部
９  関連情報提供部
１０  撮影支援情報提供部
１１  最大評価値記憶部
１２  関連情報記憶部
１３  初期設定部
１５  検出評価値算出部
１６、１７  送信部
【図１】
2006115320.tif 000003
【図２】
2006115320.tif 000004
【図３】
2006115320.tif 000005
【図４】
2006115320.tif 000006
【図５】
2006115320.tif 000007
【図６】
2006115320.tif 000008
【図７】
2006115320.tif 000009
【図８】
2006115320.tif 000010
【図９】
2006115320.tif 000011
【図１０】
2006115320.tif 000012
【図１１】
2006115320.tif 000013
【図１２】
2006115320.tif 000014
【図１３】
2006115320.tif 000015